(57)【要約】【課題】ボビンや巻線部と磁心との位置関係を安定化させたラインフィルタを提供する。【解決手段】貫通孔１３を有し両端に外鍔部１４を設けたボビン１５と、ボビン１５に巻回した複数の巻線部１６と、貫通孔１３にその一部を貫通させる閉磁路磁心１７と、ケース連結部１８とその両端に配置したケース挟持部１９とからなり閉磁路磁心１７を覆う磁心ケース２０とを備え、外鍔部１４の外側面に設けた切り欠き部２１とケース挟持部１９に設けた突起部２２とを係合させるとともに、外鍔部１４の外周の先端とケース連結部１８とを接触させることによりボビン１５と磁心ケース２０および閉磁路磁心１７とを固定した。【選択図】図１
2011114188.tif 000002
【特許請求の範囲】
【請求項１】
貫通孔を有し両端に外鍔部を設けたボビンと、
このボビンに巻回した複数の巻線部と、
前記貫通孔にその一部を貫通させる閉磁路磁心と、
ケース連結部とその両側に配置したケース挟持部とからなり前記閉磁路磁心を保持するとともに覆う磁心ケースとを備え、
前記外鍔部の外側面に設けた切り欠き部と前記ケース挟持部に設けた突起部とを係合させるとともに、
前記外鍔部の外周の先端と前記ケース連結部とを接触させることにより前記ボビンと前記磁心ケースおよび前記閉磁路磁心とを固定したラインフィルタ。
【請求項２】
ボビンと磁心ケースとは非接着により固定した請求項１に記載のラインフィルタ。
【請求項３】
外鍔部の先端とケース連結部との接触は、
前記外鍔部の外周の先端におけるボビンの中央側で行い、
前記外鍔部の外周の先端における前記外鍔部の外側面側では非接触とするようにケース連結部の両端に切り欠き部を設けた請求項１に記載のラインフィルタ。
【請求項４】
外鍔部とケース連結部との接触は、
前記外鍔部の外周の先端と、前記ケース連結部の内周側に対向する前記外鍔部に形成した突起部によって行った請求項３に記載のラインフィルタ。
【請求項５】
ボビンの中央部に中央鍔部を設け、
この中央鍔部の外周に形成した凹部に、
この凹部と対向するケース連結部の端部を嵌め込んだ請求項１に記載のラインフィルタ。
【請求項６】
ボビンは２つの分割ボビンを組み合わせることにより形成し、
この分割ボビンの接合面は閉磁路磁心の形成面に対して垂直方向に位置している請求項１に記載のラインフィルタ。
【発明の詳細な説明】
【技術分野】
【０００１】
本発明は各種電子機器等に用いられるラインフィルタに関するものである。
【背景技術】
【０００２】
以下、従来のラインフィルタについて図面を用いて説明する。図４は従来のラインフィルタの斜視図であり、ラインフィルタ１は貫通孔２と鍔部３とを有するボビン４と、貫通孔２にその一部を貫通させる閉磁路磁心５と、この閉磁路磁心５を覆うケース６とによって構成されている。ここで、ボビン４の外側に位置する鍔部３に形成した切り欠き部７へケース６に設けた突起部８を係合させた係合部９を形成することでボビン４とケース６とを固定し、ケース６は閉磁路磁心５を覆うと同時に保持していることから結果としてボビン４と閉磁路磁心５との位置関係を的確にし、ラインフィルタ１の特性を安定させるものであった。
【０００３】
なお、この出願の発明に関する先行技術文献情報としては例えば特許文献１が知られている。
【先行技術文献】
【特許文献】
【０００４】
【特許文献１】特開平８−１３８９５２号公報
【発明の概要】
【発明が解決しようとする課題】
【０００５】
しかしながら、従来のラインフィルタ１では図４に示すように、係合部９においてはケース６の有する弾性力である矢印Ａによってケース６がボビン４を挟み込む力を得ることや、ケース６とボビン４との位置決めは両側の係合部９や或いはこれに加えてケース６の中央付近に形成した中央突起部１１により行っており、これらはケース６とボビン４との位置関係を決定する要素として離れた位置関係で力の作用する支点間が大きな距離を有する形態となっているため、特に閉磁路磁心５に寸法ひずみ等が生じた場合にはその歪みがケース６の歪みとなると同時にこの歪みは距離とともに大きくなる可能性があり、その結果としてケース６とボビン４との位置決めに不安定さを生じる可能性を有するという課題があった。
【０００６】
特に、ボビン４を上側ボビン４ａと下側ボビン４ｂとの組み合わせによって構成する場合においては、上側ボビン４ａおよび下側ボビン４ｂへ端子ピン１０を挿入するために設けた端子埋設孔１０ａと、上側ボビン４ａと下側ボビン４ｂとの接合面４ｃとを介しての、閉磁路磁心５と端子ピン１０との沿面距離がケース６とボビン４との位置決めの不安定さによって変化し、その結果、閉磁路磁心５と端子ピン１０との絶縁性に影響を及ぼす可能性が生じるという課題もあった。
【０００７】
そこで本発明は、ボビンや巻線部と磁心との位置関係を安定化させたラインフィルタを提供するものである。
【課題を解決するための手段】
【０００８】
そして、この目的を達成するために、貫通孔を有し両端に外鍔部を設けたボビンと、このボビンに巻回した複数の巻線部と、前記貫通孔にその一部を貫通させる閉磁路磁心と、
ケース連結部とその両端に配置したケース挟持部とからなり前記閉磁路磁心を保持するとともに覆う磁心ケースとを備え、前記外鍔部の外側面に設けた切り欠き部と前記ケース挟持部に設けた突起部とを係合させるとともに、前記外鍔部の先端と前記ケース連結部とを接触させることにより前記ボビンと前記磁心ケースおよび前記閉磁路磁心とを固定したことを特徴としたものである。
【発明の効果】
【０００９】
本発明によれば、ボビンや巻線部と磁心との位置関係を安定化させることで、ラインフィルタの電気的特性の変動の抑制や安定した絶縁性の確保を可能とするものである。
【図面の簡単な説明】
【００１０】
【図１】本発明の実施の形態におけるラインフィルタの斜視図
【図２】本発明の実施の形態におけるラインフィルタの外鍔断面図
【図３】本発明の実施の形態におけるラインフィルタの中央鍔断面図
【図４】従来のラインフィルタの斜視図
【発明を実施するための形態】
【００１１】
以下、本発明の実施の形態について図面を用いて説明する。
【００１２】
（実施の形態１）
図１は本発明の実施の形態におけるラインフィルタの斜視図であり、ラインフィルタ１２は貫通孔１３を有し両端に円盤状形等板状の外鍔部１４を設けたボビン１５と、このボビン１５に巻回した複数の巻線部１６と、貫通孔１３にその一部を貫通させる閉磁路磁心１７と、ケース連結部１８とその両側にケース連結部１８から垂直方向に延伸して配置したケース挟持部１９とからなり閉磁路磁心１７を保持するとともに覆う磁心ケース２０とを備えている。またここで、外鍔部１４の外側面に設けた切り欠き部２１とケース挟持部１９にボビン１５を挟む方向に設けた突起部２２とを係合させるとともに、外鍔部１４の外周上の外鍔先端部２３と外鍔先端部２３に対向するケース連結部１８とを接触させることによりボビン１５と磁心ケース２０および閉磁路磁心１７とを固定した構成としている。
【００１３】
この構成によれば、ボビン１５と磁心ケース２０との固定は、貫通孔１３の軸方向については概ねコ字形となった磁心ケース２０の弾性力によりボビン１５を挟み込むことによる力で行い、また、貫通孔１３の軸方向と垂直方向については外鍔部１４の外側面に設けた切り欠き部２１とケース挟持部１９に設けた突起部２２とを係合させるとともに、外鍔部１４の外鍔先端部２３とケース連結部１８とを接触させることにより、外鍔部１４を突起部２２と外鍔先端部２３との間で保持する力で行うこととなる。
【００１４】
これにより、特に貫通孔１３の軸方向と垂直方向については、突起部２２と外鍔部１４の外鍔先端部２３に対応するケース連結部１８の両端部との間の作用点距離の小さな部分によって固定を行うため、閉磁路磁心１７の寸法変動に起因する磁心ケース２０の変形が生じた際も作用点距離の絶対値変動は小さく抑えることができるものである。よって、閉磁路磁心１７とボビン１５および巻線部１６との位置関係における変動は起こり難くなり、ラインフィルタ１２の特性変動の抑制を可能とするものである。
【００１５】
また、上記のようにボビン１５と磁心ケース２０との固定は、それぞれが異なる貫通孔１３の軸方向についての力と貫通孔１３の軸方向と垂直方向についての力とによって行われるために一つの固着力に依存する事が無いこととなる。従って固着力を完全に失うことによる磁心ケース２０の位置決めが不安定となる状態を回避し易くなり、結果としてラインフィルタ１２の特性変動の抑制に対して有効となるものである。また、当然ながら閉磁路磁心１７の位置が安定することから、巻線部１６や端子ピン２８と閉磁路磁心１７とを隔てる距離も安定し、安定した絶縁性の確保を可能とするものでもある。
【００１６】
ここで、磁心ケース２０とボビン１５とは、接着剤を用いず上記に述べたとおり係合させることや挟持させることによって位置関係を保持することとしている。例えば、外鍔部１４の外鍔先端部２３とケース連結部１８とを接着剤により固定するとした場合、固定状態の安定化や固着力の均等化を図るには、接着箇所が図１に示すように磁心ケース２０の上面側２箇所と下面側２箇所との合計４箇所が必要となり、その４箇所全てについて接着剤の塗布量を始めとして塗布状態などを均質化させることや樹脂と接着剤の線膨張係数なども一致させる必要が生じる。つまり、接着による固着箇所が多い場合には接着を行うために満たすべき条件も多くなり、それが伴わなかった際の悪影響が生じる可能性も高くなることとなる。これに対して、ここでは磁心ケース２０とボビン１５とは非接着とするものであり、このとき磁心ケース２０やボビン１５は図１における上面側と下面側とで対称形としていることにより、係合の状態や挟持の状態をあらゆる部分において均等な状態に近づけることとしており、この結果として格構成要素の固定状態の安定性や、あるいは閉磁路磁心１７に生じる応力の抑制を容易に可能とするものである。
【００１７】
また、磁心ケース２０とボビン１５との固定の状態を安定させる手段として、ケース挟持部１９の上面側および下面側に上下が対称となった形態で延伸部２４を外鍔部１４と平行方向に設け、この延伸部２４に突起部２２を形成するとよい。これにより、突起部２２の図１における上下方向に該当する長さは、延伸部２４がケース挟持部１９から延伸する高さに応じて変化させることができ、外鍔部１４に設けた切り欠き部２１との係合状態の調節を行うことが可能となる。
【００１８】
従って、この係合状態と外鍔部１４の外鍔先端部２３のケース連結部１８との接触状態により得られることとなる固定の状態、すなわち貫通孔１３の軸方向と垂直方向における磁心ケース２０とボビン１５との固定状態を的確なものへと調整することが可能である。
【００１９】
これと同時に延伸部２４は、貫通孔１３の軸方向について磁心ケース２０の弾性力によるボビン１５を挟み込む力の大きさも調整することが可能となる。また、延伸部２４が存在することによって、広い面積に亘ってボビン１５を押圧固定することとなる。そして、押圧側や被押圧側が広い面積を有することで、仮に延伸部２４やボビン１５の何れか一方、もしくは双方が押圧作用面に凹凸や歪みを有するものであっても、押圧力の作用やそれを正確に受けとめる相互の押圧力を生じさせる安定度を高くすることができる。また一方で、このボビン１５を挟み込む力は十分に大きなものであることが望ましいことから、延伸部２４から貫通孔１３の軸方向外側に補助延伸部２５を連結したうえで設けて補強するのがよい。
【００２０】
ここでは、磁心ケース２０およびボビン１５は図１の上側に該当する天面側と下側に該当する実装面側とでは貫通孔１３の中心線に対して対称な形状としており、特に実装面側においては、延伸部２４の一部をさらに延長した延長部２６と外鍔部１４に設けた外鍔突起部２７とが実装面（図示せず）に接触したうえで端子ピン２８の実装面への挿入状態を規定することから、延伸部２４の高さは最大で外鍔突起部２７の高さまでにすることが可能である。
【００２１】
さらに、外鍔部１４の外鍔先端部２３とケース連結部１８とは単に接触させるのではなく、貫通孔１３の軸方向において外鍔部１４におけるボビン１５の中央側となる外鍔先端部２３の巻線部１６側の外鍔先端部２３の部位でケース連結部１８と接触させ、その一方で、貫通孔１３の軸方向において外鍔部１４の外側である巻線部１６と反対側の外鍔先端部２３の部位では非接触としている。
【００２２】
つまり、外鍔先端部２３のうちの一部とケース連結部１８とは一部に空隙を設けた状態として接触させるのが望ましい。この空隙を設けるには、ケース連結部１８の両端で外鍔部１４に対向する部分に、貫通孔１３の軸方向における外鍔部１４の厚み以下の幅でケース切り欠き部２９を形成するのがよい。これにより、外鍔部１４の外鍔先端部２３とケース連結部１８との接触状態を維持することができると同時に、磁心ケース２０をボビン１５へ嵌合させる組み立ての際に撓みを持たせ易くなることで、これらの組み立ての作業性を向上させることができるものである。
【００２３】
これは同時に磁心ケース２０に撓みを持たせることで延伸部２４および突起部２２の大きさに自由度を持たせることを可能とするものである。よって突起部２２における、貫通孔１３の軸方向に該当する高さ寸法や延伸部２４のケース挟持部１９からの延伸方向への寸法を大きくしてボビン１５と磁心ケース２０とを強く係合させることを可能とすることともなり、貫通孔１３の軸方向と垂直方向における磁心ケース２０とボビン１５との固定状態を安定させるものでもある。
【００２４】
ここで、磁心ケース２０とボビン１５との固定状態を更に安定させるために、図２の外鍔断面図に示すように外鍔部１４の外鍔先端部２３とケース連結部１８とを接触させた状態とするにあたり、ケース連結部１８の閉磁路磁心１７の保持側となる内面側に対向する領域において外鍔部１４の外周に固定用突起部３０を設けるとよい。これにより固定位置を限定させることのみならず、固定位置が端子ピン２８から離れた部位に存在するため、はんだ付けなどの熱的ストレスによる変形等の影響を小さく抑えることができ、固定状態を更に安定させることを可能とするものである。これは特に、貫通孔１３を軸として閉磁路磁心１７が回転しようとする力に対して有効となるものである。
【００２５】
ここでは固定用突起部３０をケース連結部１８の内面側に対向する領域において、１箇所に設けたものを一例として挙げているが、端子ピン２８から遠隔側に位置する上面側の１箇所としても、上下の２箇所に設けても、あるいは上下の２箇所を連結して１つのものとしても構わない。このうち特に、上側として設けることが熱の影響を最も受け難くすることに関して有効である。
【００２６】
さらに、図１に示す中央鍔部３１を、磁心ケース２０とボビン１５との固定に適用しても構わない。ここで、中央鍔部３１には図３の中央鍔断面図に示すように、中央鍔部３１の外周に外周凹部３２を形成し、この外周凹部３２へ外周凹部３２に対向する磁心ケース２０のケース端部３３を嵌め込むことや、係合させることによって磁心ケース２０とボビン１５との固定状態を更に安定させることが可能である。
【００２７】
この場合は特に、磁心ケース２０および閉磁路磁心１７の上下方向や回転に関する安定性を得ることに有効となる。また中央鍔部３１には隣接して巻線用ギア３４を配置しており、磁心ケース２０のケース端部３３が巻線用ギア３４の対向部において巻線用ギア３４に達して接触するようにボビン１５の中心方向に延伸しても構わない。この場合もまた、磁心ケース２０および閉磁路磁心１７の上下方向や回転に関する安定性を得ることに有効となる。ここで、巻線用ギア３４と磁心ケース２０のケース端部３３との係合を的確にするためには、貫通孔１３の軸方向に対して垂直方向の断面において巻線用ギア３４は上下および左右に対称形とし、かつ、同断面において巻線用ギア３４の実装面（図示せず）との平行方向の中心線Ｃが、閉磁路磁心１７および磁心ケース２０の中心線と一致することが望ましい。これにより、双方のケース端部３３と巻線用ギア３４との接触状態をほぼ均等なものとすることができる。
【００２８】
またボビン１５については、これを分割ボビン１５ａと１５ｂとを組み合わせて形成する場合において、ボビン接合面１５ｃを閉磁路磁心１７が形成する平面に対して概ね垂直方向となるようにすることが望ましい。つまり、閉磁路磁心１７が形成する平面は端子ピン２８を挿入する実装面（図示せず）とほぼ平行とし、ボビン接合面１５ｃは端子ピン２８と平行としてそれぞれが実装面（図示せず）に対してほぼ垂直方向としているものである。
【００２９】
これにより、閉磁路磁心１７とボビン接合面１５ｃとが沿った位置関係となる部位が存在しないこととなると同時に、端子埋設孔３５は分割ボビン１５ａと１５ｂとを跨らずに分割ボビン１５ａあるいは１５ｂいずれか一方において完結して設ける形態となるため、閉磁路磁心１７と端子ピン２８との沿面距離を十分に維持した状態が確保でき、これに加えて先述のように閉磁路磁心１７の位置が安定していることで、閉磁路磁心１７と端子ピン２８との絶縁性についても非常に安定した特性を得ることを可能とするものである。
【産業上の利用可能性】
【００３０】
本発明のラインフィルタは、構成する要素の位置関係を的確なものとすることで、特性の変動の抑制を可能とする効果を有し、各種電子機器において有用である。
【符号の説明】
【００３１】
１２  ラインフィルタ
１３  貫通孔
１４  外鍔部
１５  ボビン
１５ａ、１５ｂ  分割ボビン
１５ｃ  ボビン接合面
１６  巻線部
１７  閉磁路磁心
１８  ケース連結部
１９  ケース挟持部
２０  磁心ケース
２１  切り欠き部
２２  突起部
２３  外鍔先端部
２４  延伸部
２５  補助延伸部
２６  延長部
２７  外鍔突起部
２８  端子ピン
２９  ケース切り欠き部
３０  固定用突起
３１  中央鍔部
３２  外周凹部
３３  ケース端部
３４  巻線用ギア
３５  端子埋設孔
Ｃ  中心線
【図１】
2011114188.tif 000003
【図２】
2011114188.tif 000004
【図３】
2011114188.tif 000005
【図４】
2011114188.tif 000006